(57)【要約】【課題】  水漏れを確実に防止することのできる壁パネル接合部の止水構造を提供すること。【解決手段】  壁パネル１０ａ，１０ｂの側縁部を接合する平継ぎジョイント材２１を、壁パネル１０ａ，１０ｂの側端面間に配置されるスペーサ部２１ａと、スペーサ部２１ａから壁パネル１０ａ，１０ｂの側端面に対して直交して延びる係合突部２１ｃ，２１ｄとで構成した。また、壁パネル１０ａ，１０ｂの側端面に、係合突部２１ｃ，２１ｄと係合する係合溝部２２ａ，２２ｂをそれぞれ設けた。そして、係合突部２１ｃ，２１ｄにおける室内側部分にパッキン材用溝部２５ａ，２５ｂを設け、その中にパッキン材２８を取り付けて、壁パネル１０ａ，１０ｂの側端面とジョイント材２１との間を止水した。また、壁パネル１０ａ，１０ｂの側端面間における室内側部分に目地材２９を設けた。【選択図】  図３
2005146563.tif 000002
【特許請求の範囲】
【請求項１】
複数の壁パネルの側縁部同士を、前記側縁部に沿って上下方向に延びるジョイント材で接合して構成される壁パネル接合部の止水構造であって、
前記ジョイント材を、隣接する壁パネルの側端面間に配置されるスペーサ部と、前記スペーサ部から前記両壁パネルの側端面側に延びる係合突部とを備えた部材で構成するとともに、前記両壁パネルの側端面に、前記係合突部と係合する係合溝部をそれぞれ設け、前記係合突部と前記係合溝部との間にそれぞれパッキン材を設けたことを特徴とする壁パネル接合部の止水構造。
【請求項２】
前記パッキン材を、前記係合突部と前記係合溝部との間における室内側部分に設けた請求項１に記載の壁パネル接合部の止水構造。
【請求項３】
前記係合突部にパッキン材用溝部を設け、前記パッキン材用溝部内に前記パッキン材を設けた請求項１または２に記載の壁パネル接合部の止水構造。
【請求項４】
前記パッキン材用溝部を、前記係合突部の表面に設けられた溝部本体と、前記係合突部における前記溝部本体の奥側に設けられた抜け止め用溝部と、前記溝部本体と前記抜け止め用溝部とを接続する接続用溝部とで構成し、前記パッキン材を、前記溝部本体に位置決めされるパッキン材本体と、前記抜け止め用溝部に位置決めされる抜け止め部と、前記接続用溝部に位置決めされ前記パッキン材本体と前記抜け止め部とを接続する接続部とで構成した請求項３に記載の壁パネル接合部の止水構造。
【請求項５】
前記壁パネルの側端面間における室内側部分に目地材を設けた請求項１ないし４のうちのいずれか一つに記載の壁パネル接合部の止水構造。
【発明の詳細な説明】
【技術分野】
【０００１】
本発明は、ジョイント材を用いて接合された複数の壁パネルの接合部における壁パネル接合部の止水構造に関する。
【背景技術】
【０００２】
従来から、例えば、ユニット式の浴室や洗面室は、床面部であるフロアの周縁部に複数の壁パネルを起立状態で取り付けるとともに、各壁パネルの上端部に天井パネルを取り付けて構成されている。そして、各壁パネルは、ジョイント材（スペーサ）を用いた接合部によって接合されるとともに、各壁パネル間は、目地材を用いた止水構造によって止水されている（例えば、特許文献１参照。）。
【０００３】
この接合部は、各壁パネルの側端面に上下に延びる溝部を設け、隣接する壁パネルの両溝部にスペーサを係合させることにより構成されている。スペーサは、壁パネルの側端面間に位置する被挟持片部材と、被挟持片部材の両面から被挟持片部材に直交して延びて壁パネルの溝部に係合する渡設片部材と、被挟持片部材の端部から被挟持片部材に直交して延びて壁パネルの外壁面に接触する補強片部材とで構成されている。
【０００４】
壁パネルを組み付ける際には、フロアの周縁部に壁パネルを起立状態で設置し、設置した壁パネルの溝部に渡設片部材を位置決めした状態で、各壁パネル間にスペーサを上方から差し込む。ついで、隣接する壁パネルの境界部の上端部をクリップやコーナ接続金具等の部品を用いて固定する。そして、各壁パネルの側端面間における室内側部分には、目地材を用いた止水構造を設けて、室内の水が室外に漏れないようにしている。
【特許文献１】特開２０００−３０３５９０号公報
【発明の開示】
【０００５】
しかしながら、前述した従来の止水構造は、壁パネル間に目地材を設けただけで構成されているため、確実な止水ができないという問題がある。特に、壁パネルの組立のバラツキなどにより壁パネル間の隙間が大きくなった場合等には、十分な止水性を確保することが難しい。
本発明は、前述した問題に対処するためになされたもので、その目的は、確実に止水することのできる壁パネル接合部の止水構造を提供することである。
【０００６】
上記の目的を達成するため、本発明にかかる壁パネル接合部の止水構造の構成上の特徴は、複数の壁パネルの側縁部同士を、側縁部に沿って上下方向に延びるジョイント材で接合して構成される壁パネル接合部の止水構造であって、ジョイント材を、隣接する壁パネルの側端面間に配置されるスペーサ部と、スペーサ部から両壁パネルの側端面側に延びる係合突部とを備えた部材で構成するとともに、両壁パネルの側端面に、係合突部と係合する係合溝部をそれぞれ設け、係合突部と係合溝部との間にそれぞれパッキン材を設けたことにある。
【０００７】
前述のように構成した本発明にかかる壁パネル接合部の止水構造では、各壁パネルの側端面に、壁パネルの内部側に向って延びる係合溝部を設けている。そして、ジョイント材に、両壁パネルの係合溝部と係合して、両壁パネルの表裏方向（室内から室外への方向）への互いのずれを防止する係合突部を設けるとともに、係合突部と係合溝部との間にパッキン材を設けている。したがって、パッキン材は、隣接した壁パネルの端面間でなく、一方の壁パネルの係合溝部の周面と係合突部との間、および他方の壁パネルの係合溝部の周面と係合突部との間をそれぞれ止水するようになる。
【０００８】
このため、例え、壁パネルの組立にバラツキが生じて壁パネル間の隙間が大きくなっても、各壁パネルとジョイント材との間はそれぞれ止水された状態に維持される。この結果、止水構造を挟んで室内側と室外側とが確実に止水される。この場合、壁パネルを直線状に平継ぎするときには、ジョイント材のスペーサ部を、板状に形成してその両面に、例えば、直線状になるように係合突部を突出させる。また、壁パネル同士を直交させてフロアの角部に組み付けるときには、ジョイント材のスペーサ部を、角部に設置できる構成にして、両壁パネルの側端面に対向する部分を備えるようにする。さらに、パッキン材としては、弾性を有するゴム材などの軟質材料で構成することが好ましい。
【０００９】
本発明にかかる壁パネル接合部の止水構造の他の構成上の特徴は、パッキン材を、係合突部と係合溝部との間における室内側部分に設けたことにある。これによると、壁パネル接合部における室内に近い部分で、水の壁パネル接合部内への浸入を止めることができ、好ましい止水効果を得ることができる。すなわち、このように室内から室外への止水のための構造においては、できるだけ室内の壁面側で止水することが好ましく、これによって、接合部内が水の浸入によって汚れたり朽ちたりすることを防止できる。
【００１０】
本発明にかかる壁パネル接合部の止水構造のさらに他の構成上の特徴は、係合突部にパッキン材用溝部を設け、パッキン材用溝部内にパッキン材を設けたことにある。これによると、パッキン材が位置ずれすることを防止でき、パッキン材を適正位置に取り付けることができるようになる。この結果、より確実な止水が可能になる。この場合のパッキン材の取り付け方法としては、パッキン材をパッキン材用溝部に押し込んだり、ジョイント材とパッキン材を一体的にして成形したりすることができる。また、接着剤を用いた接着によってパッキン材用溝部にパッキン材を接着することもできる。なお、接着する場合には、パッキン材用溝部を設けず、係合突部の表面に直接パッキン材を接着することもできる。
【００１１】
また、パッキン材用溝部を、係合突部の表面に設けられた溝部本体と、係合突部における溝部本体の奥側に設けられた抜け止め用溝部と、溝部本体と抜け止め用溝部とを接続する接続用溝部とで構成し、パッキン材を、溝部本体に位置決めされるパッキン材本体と、抜け止め用溝部に位置決めされる抜け止め部と、接続用溝部に位置決めされパッキン材本体と抜け止め部とを接続する接続部とで構成することができる。これによると、パッキン材がさらに強固にパッキン材用溝部内に取り付けられる。また、パッキン材がパッキン材用溝部から外れにくいため、壁パネルの組み付け作業が容易になる。
【００１２】
本発明にかかる壁パネル接合部の止水構造のさらに他の構成上の特徴は、壁パネルの側端面間における室内側部分に目地材を設けたことにある。これによると、目地材とパッキン材とによる二重のシールが行え、さらに確実な止水効果を得ることができる。この場合、通常時は、主として目地材によって、室内から接合部内への水の浸入が防止され、壁パネル間の隙間が大きい場合や目地材が朽ちたりした場合など、目地材による止水効果が十分でなく目地材の設置部分を通過して接合部内に水が浸入したときには、パッキン材によってそれ以上内部（室外側）に水が浸入することが防止される。
【発明を実施するための最良の形態】
【００１３】
以下、本発明にかかる壁パネル接合部の止水構造の実施形態を図面を用いて詳しく説明する。
【００１４】
（第１実施形態）
図１は、本発明の第１実施形態にかかる壁パネル接合部の止水構造を備えた浴室ユニット１０の内部を上方から見た状態を示している。この浴室ユニット１０は、浴槽１１を備えており、浴槽１１は、浴槽フロア（図示せず）の上面に設置されている。そして、浴槽フロアの一方の縁部（浴室ユニット１０の中央側の縁部）には、浴槽フロアとでフロア１２を構成する洗い場フロアが接続され、浴槽フロアと洗い場フロアとからなるフロア１２の周縁部に壁パネル１０ａ，１０ｂ，１０ｃ，１０ｄ，１０ｅおよびドア１３が起立状態で設置されている。このドア１３は、浴室ユニット１０と脱衣室（図示せず）との間を開閉する。
【００１５】
壁パネル１０ａと壁パネル１０ｂとは、後述する止水構造を備えた接合部２０によって接合され、壁パネル１０ａと壁パネル１０ｅ、壁パネル１０ｂと壁パネル１０ｃ、壁パネル１０ｃと壁パネル１０ｄおよび壁パネル１０ａと壁パネル１０ｅは、それぞれ止水構造を備えた接合部３０によって接合されている。また、ドア１３は、ドア取り付け用の枠等からなる所定の取り付け構造（図示せず）によって、壁パネル１０ｄ，１０ｅ間に取り付けられている。そして、壁パネル１０ａ等の上端には、天井パネル（図示せず）が掛け渡されて固定されている。浴室ユニット１０を構成する浴槽１１、フロア１２、壁パネル１０ａ等および天井パネルの各本体部分は、それぞれ樹脂の成形体で構成されている。
【００１６】
フロア１２の上面における壁パネル１０ａに沿った部分にカウンター１４が設けられ、カウンター１４の上方における壁パネル１０ａに沿った部分に棚１５ａや鏡１５ｂが設けられている。また、カウンター１４の上方には、カウンター１４で使用する湯や水を取り出すための水栓１６ａが設けられ、浴槽１１の上面におけるカウンター１４側の角部には、浴槽１１内に湯や水を取り出すための水栓１６ｂが設けられている。また、壁パネル１０ｃ，１０ｅの中央には、それぞれ手摺１７ａ，１７ｂが設けられている。
【００１７】
フロア１２は、床面部１２ａと、床面部１２ａの周縁部から立ち上がった立上げ部（図２参照）１２ｂとで構成され、立上げ部１２ｂの上端に各壁パネル１０ａ等が並んで取り付けられている。立上げ部１２ｂは、床面部１２ａの縁部から立ち上がった垂直部と、垂直部の上端から浴室ユニット１０の外部（室外側）に向かって水平方向に延びる水平部とからなり、その断面形状はＬ字形を上下に反転させた形状に形成されている。そして、水平部の先端部に、上下方向の幅が厚みよりも大きく設定された水平突部１８ａが水平部の長手方向に沿って設けられている。
【００１８】
壁パネル１０ａ等の下端面における中央部には、壁パネル１０ａ等の長手方向（図１の壁パネル１０ａにおける左右方向）に沿って天井部の高さが異なる二段状の水平溝部１８ｂが設けられている。この水平溝部１８ｂの室内側部分は、シール材１９を取り付けるための奥行きが小さな溝部に形成され、室外側部分は、水平突部１８ａと係合するための奥行きが大きな溝部に形成されている。
【００１９】
したがって、立上げ部１２ｂの上面にシール材１９を水平突部１８ａの室内側に並べて設置し、水平溝部１８ｂを水平突部１８ａとシール材１９とに対向させた状態で、例えば、壁パネル１０ａを上方から下降させることにより、図２のように、水平突部１８ａに水平溝部１８ｂが係合して、壁パネル１０ａは立上げ部１２ｂに取り付けられる。また、その際、シール材１９によって、立上げ部１２ｂの上面と壁パネル１０ａの下面との間が止水される。このようにして、壁パネル１０ａ等は立上げ部１２ｂに組み付けられる。そして、各壁パネル１０ａ等の中の壁パネル１０ａ，１０ｂは、図３に示した平継ぎジョイント２１を備えた接合部２０によって接合される。
【００２０】
図３は、接合部２０の横断面を示しており、壁パネル１０ａの側端面中央には、側端面に沿って上下に延びる係合溝部２２ａが壁パネル１０ａの内部側に向って設けられ、壁パネル１０ｂの側端面中央には、側端面に沿って上下に延びる係合溝部２２ｂが壁パネル１０ｂの内部側に向って設けられている。係合溝部２２ａ，２２ｂの横断面形状は、水平溝部１８ｂの縦断面形状と同一に設定され、それぞれ係合溝部２２ａ，２２ｂと水平溝部１８ｂとは壁パネル１０ａ，１０ｂの側端面と下端面との角部で繋がっている。また、壁パネル１０ａの外側面には、上下方向に沿って延びるフック用溝部２３ａが室内側に向って設けられ、壁パネル１０ｂの外側面には、上下方向に沿って延びるフック用溝部２３ｂが室内側に向って設けられている。
【００２１】
平継ぎジョイント２１は、壁パネル１０ａ，１０ｂの対向する側端面に沿うように上下に長く形成された押出し材で構成されており、係合溝部２２ａ，２２ｂおよびフック用溝部２３ａ，２３ｂに係合することにより壁パネル１０ａ，１０ｂを互いのずれを防止した状態で接合する。この平継ぎジョイント２１は、壁パネル１０ａ，１０ｂの側端面間に位置決めされるスペーサ部２１ａと、スペーサ部２１ａの室外側端部にスペーサ部２１ａと直交して連結されて壁パネル１０ａ，１０ｂの外側面に接触する板状の補強部２１ｂとを備えている。スペーサ部２１ａは、室内側部分と室外側部分とに分かれて構成されており、室内側部分の端部は、壁パネル１０ａ，１０ｂ間における表面よりも奥側に位置して室内側には突出しないようになっている。
【００２２】
そして、スペーサ部２１ａの両面からそれぞれスペーサ部２１ａに直交してスペーサ部２１ａの室内側部分と室外側部分とを接続するように係合突部２１ｃ，２１ｄが突出している。この係合突部２１ｃ，２１ｄとスペーサ部２１ａの室内側部分と室外側部分との間には空洞部２５ｃが形成されている。また、補強部２１ｂの両端からはそれぞれ室内側に向うようにフック部２１ｅ，２１ｆが突出している。
【００２３】
さらに、スペーサ部２１ａの先端には、係合突起２１ｇが形成されている。係合突部２１ｃ，２１ｄは、それぞれ対応する係合溝部２２ａ，２２ｂの奥行きが長い部分に、係合溝部２２ａ，２２ｂの奥端との間に多少の隙間を開けた状態で係合可能になっている。また、係合突部２１ｃの室外側の側面は、凹凸面２４ａに形成され、係合突部２１ｄの先端側における室外側の側面には、切欠き部２４ｂが形成されている。
【００２４】
そして、係合突部２１ｃは、凹凸面２４ａを係合溝部２２ａの対向する周面に押し付けた状態で、係合溝部２２ａに強固に係合している。また、係合突部２１ｄの室内側部分および基部室外側は、係合溝部２２ｂの周面に接触するように形成されており、係合溝部２２ｂと係合突部２１ｄとが係合した状態では、壁パネル１０ｂは平継ぎジョイント２１に対して表裏方向に位置ずれしないようになっている。また、切欠き部２４ｂによって、係合溝部２２ｂと係合突部２１ｄとの間に隙間が生じるため、壁パネル１０ｂを、平継ぎジョイント２１を中心として室内側から図3の状態へと回転させることができる。
【００２５】
また、係合突部２１ｃの室内側部分の中央には、パッキン材用溝部２５ａが形成され、係合突部２１ｄの室内側部分の中央には、パッキン材用溝部２５ｂが形成されている。パッキン材用溝部２５ａは、中央に幅の狭い部分が形成され、その幅の狭い部分を挟んで係合突部２１ｃの表面側に溝部本体２６ａが形成され、奥側に抜け止め用溝部２７ａが形成されている。パッキン材用溝部２５ｂはパッキン材用溝部２５ａと同一形状に形成され、溝部本体２６ｂと、抜け止め用溝部２７ｂと、溝部本体２６ｂと抜け止め用溝部２７ｂとの間に形成された幅の狭い部分とで構成されている。
【００２６】
そして、パッキン材用溝部２５ａ，２５ｂ内に、図４に横断面形状を示したパッキン材２８がそれぞれ取り付けられている。パッキン材２８は、弾性を有するゴムからなり、溝部本体２６ａ，２６ｂ内に位置決めされるパッキン材本体２８ａと、抜け止め用溝部２７ａ，２７ｂ内に位置決めされる抜け止め部２８ｂと、パッキン材本体２８ａと抜け止め部２８ｂとを接続し、パッキン材用溝部２５ａ，２５ｂの幅の狭い部分に位置決めされる接続部２８ｃとで構成されている。
【００２７】
パッキン材本体２８ａの断面形状は半円形に形成されているが、接合部２０に組み込まれた状態では、係合溝部２２ａ，２２ｂの周面に押し潰されて、図３に示したように略長方形に変形する。また、抜け止め部２８ｂの室外側の側面は、中央部が室外側に突出しており、このため抜け止め部２８ｂの断面形状は略三角形に形成されている。これによって、抜け止め部２８ｂをパッキン材用溝部２５ａ，２５ｂ内に押し込みやすくなっている。
【００２８】
また、フック部２１ｅ，２１ｆは、それぞれ対応するフック用溝部２３ａ，２３ｂに係合可能になっており、フック部２１ｅ，２１ｆは、フック用溝部２３ａ，２３ｂよりも小さく形成されている。このため、フック部２１ｅ，２１ｆは、フック用溝部２３ａ，２３ｂに容易に係合できる。しかしながら、係合溝部２２ａ，２２ｂと係合突部２１ｃ，２１ｄおよびフック用溝部２３ａ，２３ｂとフック部２１ｅ，２１ｆのそれぞれ対応する部分が係合したときには、フック部２１ｅはフック用溝部２３ａの内周面に強固に係合し、フック部２１ｆはフック用溝部２３ｂの内周面に強固に係合する。
【００２９】
そして、壁パネル１０ａ，１０ｂ間の室内側部分に、目地材２９が取り付けられている。この目地材２９は、軟質ゴムからなる成形品で構成されており、スペーサ部２１ａの先端に形成された係合突起２１ｇと係合可能な凹部２９ａを備えている。この凹部２９ａに係合突起２１ｇを係合させて、壁パネル１０ａ，１０ｂ間に押し込まれることにより、目地材２９は、壁パネル１０ａ，１０ｂ間に取り付けられて、壁パネル１０ａ，１０ｂ間を止水する。
【００３０】
このように、壁パネル１０ａ，１０ｂは、係合溝部２２ａに係合突部２１ｃ、係合溝部２２ｂに係合突部２１ｄがそれぞれ係合するとともに、フック用溝部２３ａにフック部２１ｅ、フック用溝部２３ｂにフック部２１ｆがそれぞれ係合することによって、互いのずれを防止した状態で組み付けられている。また、目地材２９によって、壁パネル１０ａ，１０ｂ間における室内側部分が止水され、２個のパッキン材２８によって、係合溝部２２ａ，２２ｂの周面とそれに対応する係合突部２１ｃ，２１ｄとの間がそれぞれ止水されている。これによって、壁パネル１０ａ，１０ｂは、互いの間を止水された状態でずれることなく強固に組み付けられている。
【００３１】
この場合の組み付けは、まず、平継ぎジョイント２１のパッキン材用溝部２５ａ，２５ｂ内にそれぞれパッキン材２８を取り付ける。つぎに、壁パネル１０ａの係合溝部２２ａに、係合突部２１ｃの先端部を合わせた状態で、係合突部２１ｄ側を係合溝部２２ａに向って叩き込むことにより、係合突部２１ｃを係合溝部２２ａに嵌合させる。これによって、パッキン材２８は、係合溝部２２ａの周面に強く押し付けられ、係合突部２１ｃと係合溝部２２ａの周面との間を止水する。また、この際、フック用溝部２３ａとフック部２１ｅも係合する。そして、この平継ぎジョイント２１が取り付けられた壁パネル１０ａを立上げ部１２ｂの所定の位置に取り付ける。
【００３２】
つぎに、壁パネル１０ｂをやや室内側の上方に持ち上げて、平継ぎジョイント２１の係合突部２１ｄに係合溝部２２ｂを合わせる。ついで、壁パネル１０ｂを平継ぎジョイント２１を中心として室外側に回転させることにより、図３に示したように、係合溝部２２ｂと係合突部２１ｄおよびフック用溝部２３ｂとフック部２１ｆとを係合させる。この場合、壁パネル１０ｂの側縁部室外側部分は、係合突部２１ｄの先端部を包み込むようにして係合突部２１ｄと補強部２１ｂとの間に入り込む。この係合は、係合突部２１ｄの先端部に切欠き部２４ｂが設けられているため容易に行える。
【００３３】
そして、フック用溝部２３ｂにフック部２１ｆが係合したのちに、壁パネル１０ｂを壁パネル１０ａに対してスライドさせながら下降させて、壁パネル１０ｂの水平溝部１８ｂを立上げ部１２ｂの水平突部１８ａの所定位置に係合させる。このとき、パッキン材２８は、係合溝部２２ｂの周面に強く押し付けられ、係合突部２１ｄと係合溝部２２ｂの周面との間を止水する。そして、スペーサ部２１ａの先端に形成された係合突起２１ｇに凹部２９ａを係合させて、壁パネル１０ａ，１０ｂ間に目地材２９を固定する。この目地材２９によって、壁パネル１０ａ，１０ｂ間は止水される。本発明にかかる止水構造は、２個のパッキン材２８による係合溝部２２ａ，２２ｂの周面とそれに対応する係合突部２１ｃ，２１ｄとの間の止水、および目地材２９による壁パネル１０ａ，１０ｂ間の止水によって構成されている。
【００３４】
図５は、コーナージョイント３１を用いて壁パネル１０ｂ，１０ｃを直交するように組み付けた止水構造を備えた接合部３０の横断面を示している。壁パネル１０ｂ，１０ｃはフロア１２の角部に直交して配置され、その側端面の中央には、それぞれ係合溝部２２ａ，２２ｂと同様の係合溝部３２ｂ，３２ｃが上下方向に沿って設けられ、外側面には、フック用溝部２３ａ，２３ｂと同様のフック用溝部３３ｂ，３３ｃが上下方向に沿って設けられている。
【００３５】
コーナージョイント３１は、壁パネル１０ｂ，１０ｃの直交する側端面に沿うように上下に長く形成された押出し材で構成されており、係合溝部３２ｂ，３２ｃおよびフック用溝部３３ｂ，３３ｃに係合することにより壁パネル１０ｂ，１０ｃを組み付ける。このコーナージョイント３１では、壁パネル１０ｂ，１０ｃの側端面間に位置決めされるスペーサ部３１ａの断面形状が、図５に示すように、内部が空洞になった略Ｌ形に形成されている。すなわち、スペーサ部３１ａは、壁パネル１０ｂの側端面に平行する断面略コ字状の部分と、壁パネル１０ｃの側端面に平行する断面略コ字状の部分とを、そのコ字状の開放部分を角部に位置させて配置し、両コ字状部分の開放部を補強部で接続して構成されている。
【００３６】
そして、スペーサ部３１ａの一方の室外側縁部から壁パネル１０ｂの外側面に沿って、先端にフック部３１ｅが形成された補強部３８ｂが延び、スペーサ部３１ａの他方の室外側縁部から壁パネル１０ｃの外側面に沿って、先端にフック部３１ｆが形成された補強部３８ｃが延びている。また、スペーサ部３１ａのそれぞれ壁パネル１０ｂ，１０ｃの側端面に接触する面からは、係合突部２１ｃ，２１ｄと同様の係合突部３１ｃ，３１ｄが突出している。また、スペーサ部３１ａの角部室内側部分には、係合突起３１ｇが形成されている。
【００３７】
係合突部３１ｃは、凹凸面３４ｂと、溝部本体３６ｂおよび抜け止め用溝部３７ｂを備えたパッキン材用溝部３５ｂとを備え、係合突部３１ｄは、切欠き部３４ｃと、溝部本体３６ｃおよび抜け止め用溝部３７ｃを備えたパッキン材用溝部３５ｃとを備えている。そして、パッキン材用溝部３５ｂ，３５ｃにそれぞれパッキン材２８が取り付けられている。また、壁パネル１０ｂ，１０ｃ間の室内側部分に、凹部２９ａを係合突起３１ｇに係合させて目地材２９が取り付けられている。この２個のパッキン材２８と目地材２９とによって、壁パネル１０ｂ，１０ｃ間が止水され、これによって本発明の止水構造が構成されている。
【００３８】
この場合の組み付けも前述した壁パネル１０ａ，１０ｂの組み付けと略同様の方法によって行われる。すなわち、前述した壁パネル１０ａの側部に壁パネル１０ｂを組み付ける作業の際に、予め、壁パネル１０ｂの係合溝部３２ｂとフック用溝部３３ｂに、コーナージョイント３１の係合突部３１ｃとフック部３１ｅを係合させておく。そして、係合溝部３２ｃを係合突部３１ｄに合わせて、コーナージョイント３１を中心として壁パネル１０ｃを回転させながら係合突部３１ｄと係合溝部３２ｃおよびフック部３１ｆとフック用溝部３３ｃを係合させる。そして、壁パネル１０ｂを立上げ部１２ｂに組み付け、壁パネル１０ｂ，１０ｃ間の室内側部分に目地材２９を取り付ける。これによって、接合部３０が構成される。また、壁パネル１０ｃ，１０ｄ間および壁パネル１０ａ，１０ｅ間の角部も同様の接合部３０によって接合されている。
【００３９】
このように、本発明の第１実施形態にかかる止水構造では、隣接する壁パネル１０ａ等を接合するための平継ぎジョイント２１やコーナージョイント３１に、パッキン材用溝部２５ａ等を設け、このパッキン材用溝部２５ａ等の内部にパッキン材２８を取り付けている。また、隣接する壁パネル１０ａ等の間における室内側部分には、目地材２９を取り付けている。したがって、隣接する壁パネル１０ａ等の側端面間だけでなく、一方の壁パネル１０ａ等と平継ぎジョイント２１等との間、および他方の壁パネル１０ｂ等と平継ぎジョイント２１等との間もそれぞれ止水されるようになる。
【００４０】
このため、例え、壁パネル１０ａ等の組立のバラツキ等により、隣接する壁パネル１０ａ等の間の隙間が大きくなっても、各壁パネル１０ａ等と平継ぎジョイント２１等との間はそれぞれ止水された状態に維持される。この結果、接合部２０，３０における室内側と室外側とが確実に止水される。また、パッキン材２８が、パッキン材用溝部２５ａ等に取り付けられているため、平継ぎジョイント２１等を壁パネル１０ａ等の係合溝部２２ａ等に係合させる際に、位置ずれすることなく適正位置に維持される。さらに、パッキン材２８が、弾性を有するゴムで構成されているため、係合溝部２２ａ等の周面によって押し潰されて係合溝部２２ａ等の周面との間に大きな接触面ができる。これによって、止水性が向上する。
【００４１】
また、パッキン材用溝部２５ａ等とパッキン材２８とが、係合突部２１ｃ等における室内側部分に設けられ、さらに、隣接する壁パネル１０ａ等の間における室内側部分に目地材２９が設けられているため、接合部２０，３０における室内に近い部分で、水の浸入を止めることができ、好ましい止水効果を得ることができる。これによって、接合部２０，３０内が水の浸入によって汚れたり朽ちたりすることを確実に防止できる。
【００４２】
（第２実施形態）
図６は、本発明の第２実施形態にかかる止水構造で用いられるパッキン材４８の横断面形状を示している。パッキン材４８は、弾性を有するゴムからなり、パッキン材本体４８ａと、抜け止め部４８ｂと、接続部４８ｃとで構成されている。パッキン材本体４８ａの横断面形状は、パッキン材本体２８ａの横断面形状と同様、外郭部は半円形に形成されているが、内部に空間部４９が形成されている。そして、抜け止め部４８ｂは、抜け止め部２８ｂと、接続部４８ｃは、接続部２８ｃとそれぞれ同形に形成されている。
【００４３】
このパッキン材４８も接合部２０，３０と同様の接合部に使用され、パッキン材本体４８ａは溝部本体２６ａ等に、抜け止め部４８ｂは抜け止め用溝部２７ａ等に、それぞれ位置決めされる。また、接続部４８ｃは、溝部本体２６ａ等と抜け止め用溝部２７ａ等の間に位置決めされる。このパッキン材４８も、接合部に組み込まれた状態では、係合溝部２２ａ等の周面に押し潰されて、略長方形に変形する。このパッキン材４８を用いた止水構造におけるそれ以外の作用効果については、前述した実施形態と同様である。
【００４４】
（第３実施形態）
図７は、本発明の第３実施形態にかかる止水構造で用いられるパッキン材５８の横断面形状を示している。パッキン材５８は、弾性を有するゴムからなり、パッキン材本体５８ａと、抜け止め部５８ｂと、接続部５８ｃとで構成されている。パッキン材本体５８ａの横断面形状は、四角形における室内側に配置される部分から一方の側部に係る部分を傾斜部５９に形成した形状になっている。そして、抜け止め部５８ｂは、抜け止め部２８ｂと、接続部５８ｃは、接続部２８ｃとそれぞれ同形に形成されている。
【００４５】
このパッキン材５８は、傾斜部５９が形成された側部側が係合溝部２２ａ等の奥側に位置するようにして、パッキン材用溝部２５ａ等に取り付けられる。これによって、パッキン材５８が取り付けられた平継ぎジョイント２１等を壁パネル１０ａ等の係合溝部２２ａ等に係合させる際に、傾斜部５９に沿ってパッキン材本体５８ａの突出量の少ない部分から突出量の多い部分に向ってパッキン材本体５８ａが圧縮されていく。このため、平継ぎジョイント２１等の壁パネル１０ａ等への取り付けがスムーズに行える。このパッキン材５８を用いた止水構造におけるそれ以外の作用効果については、前述した各実施形態と同様である。
【００４６】
（第４実施形態）
図８は、本発明の第４実施形態にかかる止水構造で用いられるパッキン材６８の横断面形状を示している。パッキン材６８は、弾性を有するゴムからなり、パッキン材本体６８ａと、抜け止め部６８ｂと、接続部６８ｃとで構成されている。パッキン材本体６８ａの横断面形状は、一方の側部から内部に向って凹部６９が形成された略Ｃ字状の形状に形成されている。そして、抜け止め部６８ｂは、抜け止め部２８ｂと、接続部６８ｃは、接続部２８ｃとそれぞれ同形に形成されている。
【００４７】
このパッキン材６８は、凹部６９が形成された側部側が係合溝部２２ａ等の開口側に位置するようにして、パッキン材用溝部２５ａ等に取り付けられる。これによって、パッキン材６８が取り付けられた平継ぎジョイント２１等を壁パネル１０ａ等の係合溝部２２ａ等に係合させる際に、凹部６９を閉塞させるようにしてパッキン材本体６８ａが圧縮されていく。このため、平継ぎジョイント２１等の壁パネル１０ａ等への取り付けがスムーズに行える。このパッキン材６８を用いた止水構造におけるそれ以外の作用効果については、前述した各実施形態と同様である。
【００４８】
また、本発明にかかる壁パネル接合部の止水構造は、前述した各実施形態に限定するものでなく、適宜変更して実施することができる。例えば、前述した各実施形態では、パッキン材２８等をパッキン材用溝部２５ａ等に押し込むことにより取り付けているが、このパッキン材２８等は、平継ぎジョイント２１等と一体的に成形することができる。また、接着剤を用いてパッキン材用溝部２５ａ等にパッキン材２８等を接着することもできる。さらに、パッキン材用溝部２５ａ等を設けず、係合突部と係合溝部との間に直接パッキン材を設置したり、接着して固定したりすることもできる。この場合、パッキン材は断面形状が円形などの単純な構造にすることができる。
【００４９】
また、パッキン材用溝部２５ａ等やパッキン材２８等の設置位置は、係合突部の室内側に限らず、室外側にすることもでき、また、目地材２９は、省略することも可能である。その他、止水構造や接合部を構成する各部分の形状や材料等についても適宜変更実施が可能である。更に、前述した壁パネルの構成は一例であり、壁パネル１０ｃ，１０ｅ，１０ｄを２枚以上の壁パネルで構成し、平継ぎジョイント２１等で接合する構成とすることも勿論可能である。また、前述した各実施形態では、止水構造を備えた接合部２０，３０を浴室ユニット１０に設けているが、この発明にかかる壁パネル接合部の止水構造は、浴室ユニットだけでなく、洗面室ユニット等、壁パネルを接合して構成される各種の衛生設備室ユニットであれば利用が可能である。
【図面の簡単な説明】
【００５０】
【図１】本発明にかかる第１実施形態の止水構造を備えた浴室ユニットの内部を上方から見た状態を示す平面図である。
【図２】フロアに壁パネルを取り付けた状態を示す縦断面図である。
【図３】第１実施形態による止水構造を備えた平継ぎによる壁パネルの接合部を示す横断面図である。
【図４】図３に示した止水構造が備えるパッキン材を示す横断面図である。
【図５】第１実施形態による止水構造を備えた角部接合による壁パネルの接合部を示す横断面図である。
【図６】第２実施形態による止水構造で用いられるパッキン材を示す横断面図である。
【図７】第３実施形態による止水構造で用いられるパッキン材を示す横断面図である。
【図８】第４実施形態による止水構造で用いられるパッキン材を示す横断面図である。
【符号の説明】
【００５１】
１０…浴室ユニット、１０ａ，１０ｂ，１０ｃ，１０ｄ，１０ｅ…壁パネル、２０，３０…接合部、２１…平継ぎジョイント、２１ａ，３１ａ…スペーサ部、２１ｃ，２１ｄ，３１ｃ，３１ｄ…係合突部、２２ａ，２２ｂ，３２ｂ，３２ｃ…係合溝部、２５ａ，２５ｂ，３５ｂ，３５ｃ…パッキン材用溝部、２６ａ，２６ｂ，３６ｂ，３６ｃ…溝部本体、２７ａ，２７ｂ，３７ｂ，３７ｃ…抜け止め用溝部、２８，４８，５８，６８…パッキン材、２８ａ，４８ａ，５８ａ，６８ａ…パッキン材本体、２８ｂ，４８ｂ，５８ｂ，６８ｂ…抜け止め部、２８ｃ，４８ｃ，５８ｃ，６８ｃ…接続部、２９…目地材、３１…コーナージョイント、４９…空間部、５９…傾斜部、６９…凹部。
【図１】
2005146563.tif 000003
【図２】
2005146563.tif 000004
【図３】
2005146563.tif 000005
【図４】
2005146563.tif 000006
【図５】
2005146563.tif 000007
【図６】
2005146563.tif 000008
【図７】
2005146563.tif 000009
【図８】
2005146563.tif 000010